(57)【要約】　　　（修正有）【課題】簡易な構造でありながら一方部材を他方部材に収納可能であり、持ち運び時に嵩張らない並継ぎ型玉の柄あるいは並継ぎ型竿受けの柄部を提供すること。【解決手段】上記課題を解決するために本考案に係る柄部は、少なくとも一端面が開放された筒状体１０と、一方端付近が端縁から筒状体の内径を超える程度に膨張するテーパー形状部２１を有し、続いて先細りするテーパー形状部２２を有し、当該先細りするテーパー形状部に続く収納可能部が筒状体内に収納可能な径に成形した棒体とで構成した。【選択図】　図２
0003099027.tif 000002
【実用新案登録請求の範囲】
【請求項１】
　少なくとも一端面が開放された筒状体１０と、
　一方端付近が端縁から筒状体１０の内径を超える程度に膨張するテーパー形状部２１を有し、続いて先細りするテーパー形状部２２を有し、当該先細りするテーパー形状部２２に続く収納可能部２３が筒状体１０内に収納可能な径に成形した棒体２０と、
　から成る並継ぎ型玉の柄あるいは並継ぎ型竿受けの柄部
【請求項２】
　棒体２０の端部の膨張するテーパー形状部２１と同程度の長さに、且つ、該テーパー形状部２１より僅かに大きな径になる程度に、筒状体１０をその開放端面から内径が先細りするテーパー形状となるよう形成した請求項１記載の並継ぎ型玉の柄あるいは並継ぎ型竿受けの柄部。
【考案の詳細な説明】
【技術分野】
【０００１】
　本考案は魚釣りに使用する並継ぎ型の玉の柄あるいは並継ぎ型の竿受けの柄部に関し、より詳しくはコンパクトに収納可能な柄部に関する。
【背景技術】
【０００２】
　図６は従来の柄部の一方部材の概略図であり、図７は従来の柄部の他方部材の概略図であり、図８は従来の並継ぎ型玉の柄と網を示す図であり、図９は従来の並継ぎ型竿受けに釣り竿を載置した状態を示す図である。
【０００３】
　玉の柄とは釣り針に掛かった魚を掬いあげるため等に用いる網３を先端に取り付ける柄部をいう。並継ぎ型玉の柄とは図６や図８に示すように２本の筒状体のうちの一方の筒状体１の一端付近を先細り形状にし、該先細り形状部１ａを図７に示す他方の筒状体２に差し込むことで両者を嵌着し、一本の棒体とするものである（無論２本に限られるものではなく３本以上を同様の手法で繋ぎ合わせてもよい）。
【０００４】
　また、竿受けは万力部４、柄部５、竿掛頭６より成る。万力部４は桟橋や舟の縁等に固定するための部材であり、竿掛頭６は釣り竿７を載置し安定させるための部材である。
【０００５】
　並継ぎ型竿受けの柄部とは図６や図９に示すように２本の筒状体のうちの一方の筒状体１の一端付近を先細り形状にし、該先細り形状部１ａを図７に示す他方の筒状体２に差し込むことで両者を嵌着し、一本の棒体とするものである（無論２本に限られるものではなく３本以上を同様の手法で繋ぎ合わせてもよい）。
【０００６】
　以上のような形態を有する並継ぎ型竿受けに関する改良例として、実開平６−１７４８３号記載の考案がある。ここに実開平６−１７４８３号記載の竿受けは中空軸の中に支柱が収納可能なものであり、使用時に支柱を伸長し蝶ボルトで固定するものである。
【特許文献１】実開平６−１７４８３号公報
【考案の開示】
【考案が解決しようとする課題】
【０００７】
　従来の並継ぎ型玉の柄や並継ぎ型竿受けの柄部は２本の（あるいはそれ以上の本数の）筒状体より成るものであり持ち運び時に嵩張るものである。
【０００８】
　また実開平６−１７４８３号記載に係る考案は中空軸の中に支柱を収納可能なものであり、持ち運び時の嵩張りは少ないものの、緊締するための部材である蝶ボルトが必要となり部品点数が増えてしまうものである。
【０００９】
　そこで本考案は簡易な構造でありながら一方部材を他方部材に収納可能であり、持ち運び時に嵩張らない並継ぎ型玉の柄あるいは並継ぎ型竿受けの柄部を提供することを目的とする。
【課題を解決するための手段】
【００１０】
　上記課題を解決するために請求項１記載に係る柄部は、少なくとも一端面が開放された筒状体と、一方端付近が端縁から筒状体の内径を超える程度に膨張するテーパー形状部を有し、続いて先細りするテーパー形状部を有し、当該先細りするテーパー形状部に続く収納可能部が筒状体内に収納可能な径に成形した棒体とで構成した。
【００１１】
　また請求項２記載に係る柄部は、棒体の端部の膨張するテーパー形状部と同程度の長さに、且つ、同テーパー形状部より僅かに大きな径になる程度に、筒状体をその開放端面から内径が先細りするテーパー形状となるよう形成した。
【００１２】
　以下かように構成される本考案が如何に作用して課題を解決するかを図面を参照しながら述べる。
【００１３】
　図１は本考案に係る柄部を繋ぎ合わせた状態を示す概略図であり、図２は本考案に係る柄部を収納した状態を示す概略図であり、図３は本考案に係る柄部の一方部材の概略図であり、図４は本考案に係る柄部の他方部材の概略図であり、図５は請求項２記載の柄部を繋ぎ合わせようとする部分の概略拡大図である。
【００１４】
　本考案に係る柄部を構成する棒体２０は図４に示す膨張するテーパー形状部２１の径が、図３に示す筒状体１０の内径すなわち空胴部の直径を超える程度に設けてある。故に図１に示すようにテーパー形状部２１を筒状体１０に嵌着することが可能となるのである。つまり玉の柄あるいは竿受けとしての使用に耐え得るものとなるのである。
【００１５】
　他方で棒体２０は膨張するテーパー形状部２１に続いて先細りするテーパー形状部２２を有し、更に当該先細りするテーパー形状部２２に続く収納可能部２３が筒状体１０内に収納可能な径に成形されている。つまりこの収納可能部２３は図２に示すように筒状体１０に収納することが可能となる。また先細りするテーパー形状部２２は膨張するテーパー形状部２１に連なるものであり、当該膨張するテーパー形状部２１は筒状体１０の内径より大きな径を有することから、先細りするテーパー形状部２２の太い部位は筒状体１０の内径より大径となる。即ちこの太い部位で棒体２０が筒状体１０に嵌着される。つまりはキャップの役目を果たすことになる。すなわち筒状体１０内に棒体２０を収納でき、しかも端部をキャップ状に嵌合できることから嵩張らずに持ち運びが可能となるのである。
【００１６】
　また請求項２記載の柄部は図５に示すようにその構成部材である筒状体１０をその開放端面から内径が先細りするテーパー形状になるよう形成した。そしてこの先細りするテーパー形状部１０ａは棒体２０の膨張するテーパー形状部２１と同程度の長さに、且つ、該テーパー形状部２１より僅かに大きな径になるよう形成されている。故に棒体２０と筒状体１０を繋ぎ合わせた際に、より緊密に嵌着することが可能となるのである。
【考案の効果】
【００１７】
　本考案は以上のように構成されていることから簡易な構造でありながら一方部材を他方部材に収納可能であり、持ち運び時に嵩張らない並継ぎ型玉の柄あるいは並継ぎ型竿受けの柄部を提供することが可能となるのである。
【考案を実施するための最良の形態】
【００１８】
　以下好ましい考案の一実施形態につき述べる。
【００１９】
　本考案に係る柄部は筒状体１０及び棒体２０により構成される。
【００２０】
　筒状体１０は図３に示すように中空の筒形状を有する棒状体である。
【００２１】
　請求項２記載の柄部における筒状体１０は、図５に示すようにその空洞部が開放端面から先細りするテーパー形状に設けてある。且つ、該先細りするテーパー形状部１０ａは棒体２０の膨張するテーパー形状部２１と同程度の長さに、且つ、該テーパー形状部２１より僅かに大きな径になるよう形成されている。
【００２２】
　筒状体１０の素材としては竹、木材、金属、カーボン、グラスファイバーの樹脂成形品、樹脂等が利用可能ある。
【００２３】
　棒体２０は一方端付近が端縁から筒状体１０の内径を超える程度に膨張するテーパー形状部２１を有し、続いて先細りするテーパー形状部２２を有し、当該先細りするテーパー形状部２２に続く収納可能部２３が筒状体１０内に収納可能な径に成形してある。尚、膨張するテーパー形状部２１と先細りするテーパー形状部２２の間に径の変化のない平行部を設けてもかまわない。
【００２４】
　棒体とは空胴部を有する筒形状及び空胴部を有しない棒形状を含む広義の概念である。すなわち図１や図４において棒体２０は筒形状であるが、係る限定を受けるものではなく空胴部を有しない棒形状であってもかまわない。
【００２５】
　また棒体２０の素材としては竹、木材、金属、カーボン、グラスファイバーの樹脂成形品、樹脂等が利用可能である。
【図面の簡単な説明】
【００２６】
【図１】本考案に係る柄部を繋ぎ合わせた状態を示す概略図。
【図２】本考案に係る柄部を収納した状態を示す概略図。
【図３】本考案に係る柄部の一方部材の概略図。
【図４】本考案に係る柄部の他方部材の概略図。
【図５】請求項２記載の柄部を繋ぎ合わせようとする部分の概略拡大図。
【図６】従来の柄部の一方部材の概略図。
【図７】従来の柄部の他方部材の概略図。
【図８】従来の並継ぎ型玉の柄と網を示す図。
【図９】従来の並継ぎ型竿受けに釣り竿を載置した状態を示す図。
【符号の説明】
【００２７】
１０・・筒状体　　　２０・・棒体
２１・・膨張するテーパー形状部　　　２２・・先細りするテーパー形状部
２３・・収納可能部
【図１】
0003099027.tif 000003
【図２】
0003099027.tif 000004
【図３】
0003099027.tif 000005
【図４】
0003099027.tif 000006
【図５】
0003099027.tif 000007
【図６】
0003099027.tif 000008
【図７】
0003099027.tif 000009
【図８】
0003099027.tif 000010
【図９】
0003099027.tif 000011